(57)【要約】【課題】  アームの端部に蛍光灯を内蔵した横長の灯具を角度変更可能に保持した照明装置において、スイッチの操作が極めて容易であり、両手が塞がっていても身体の一部を使って操作することが可能であり、しかもスイッチを操作した際に不意に灯具の角度が変わることがない照明装置を提供する。【解決手段】  アーム９の端部に蛍光灯を内蔵した横長の灯具４を角度変更可能に保持した照明装置であって、灯具のシェード５の上面部に、縦幅と横幅の少なくとも一方が３ｃｍ以上の操作板２８を有する大型のスイッチ６を設けた。灯具を保持したアームの軸線を通る鉛直面と交差する位置に、スイッチの操作板の中心を配し、あるいは灯具の左右中央部をアームの端部で保持するとともに、シェードの上面部で左右中央部にスイッチの操作板を設けた。【選択図】        図１
2006318683.tif 000002
【特許請求の範囲】
【請求項１】
アームの端部に蛍光灯を内蔵した横長の灯具を角度変更可能に保持した照明装置であって、前記灯具のシェードの上面部に、縦幅と横幅の少なくとも一方が３ｃｍ以上の操作板を有する大型のスイッチを設けたことを特徴とする照明装置。
【請求項２】
前記灯具を保持した前記アームの軸線を通る鉛直面と交差する位置に、前記スイッチの操作板の中心を配してなる請求項１記載の照明装置。
【請求項３】
前記灯具の左右中央部を前記アームの端部で保持するとともに、前記シェードの上面部で左右中央部に前記スイッチの操作板を設けてなる請求項１記載の照明装置。
【請求項４】
前記シェードの上面部の表面と、前記スイッチの操作板の表面とを略面一に設定してなる請求項１〜３何れかに記載の照明装置。
【請求項５】
前記灯具の前部に前方へ張り出したハンドル部を設け、該ハンドル部の指掛け開口に前記スイッチの操作板の前縁が臨んでいる請求項１〜４何れかに記載の照明装置。
【請求項６】
前記灯具の前部に前方へ張り出したハンドル部を設け、該ハンドル部の指掛け開口と、前記スイッチの操作板の前縁との間に、前記シェードの上面部から延設した保護部を設けてなる請求項１〜４何れかに記載の照明装置。
【発明の詳細な説明】
【技術分野】
【０００１】
本発明は、照明装置に係わり、更に詳しくは学習机の机上棚に設置し、あるいは研究室の机や実験台に設置する照明装置に関するものである。
【背景技術】
【０００２】
従来から、学習机の机上棚に照明装置を設置したものは各種提供されている。例えば、本出願人の先願に係る特許文献１及び特許文献２に開示された照明装置は、机上棚の背板あるいは机の天板に、支柱を立起状態で保持するとともに、該支柱の上端部に前向きにアームを設け、該アームの前端部に蛍光灯を内蔵した横長の灯具を角度変更可能に保持した構造のものである。
【０００３】
横長の灯具の構造としては、特許文献３にも開示されているように、下方に開放した合成樹脂製のシェードの内部に蛍光灯を装着するとともに、該シェードの前面側に押しボタン式のスイッチを設け、そしてシェードの後部に一体成形した支持部を前述のアームに連結した構造を有している。つまり、前記シェードは、蛍光灯の上部を覆う湾曲した上面部を有するとともに、蛍光灯の側端部を隠蔽する側面部を一体成形した構造であり、その内部に蛍光灯を装着する端子や適宜反射板等を取付けるようになっている。このように従来の灯具におけるシェードは、上面部と側面部とが曲面で連続した形状となっており、灯具の本体部を構成していた。
【０００４】
また、前記シェードの前部に、灯具の姿勢を調節するために使用するハンドル部を設けることもある。そして、前記スイッチは、ハンドル部を右手で握って親指で操作できるように、ハンドル部の左側に前方へ向けて設けている。また、スイッチは、照明装置の支柱の下端部に設けることもある。
【特許文献１】特許第３０１４９９６号公報（図１、図２）
【特許文献２】特許第３５６１４１９号公報（図１、図４）
【特許文献３】特開２００１−２４３８３２号公報（図１、図５）
【発明の開示】
【発明が解決しようとする課題】
【０００５】
前述のように、灯具のハンドル部の側方に前向きに押しボタンを設けた構造のものは、右手に物を持って塞がっている場合には、左手で押しボタンを押すことになるが、利き手と異なる場合には力加減が難しく、操作性が非常に悪くなるばかりでなく、灯具を支持するアームの軸線に対して押しボタンの位置が左右に偏っているため、ハンドル部を持たないで押しボタンを押せば灯具の角度が不意に変わることになる。更に、両手に物を持っている場合には、スイッチの操作は殆ど不可能である。
【０００６】
そこで、本発明が前述の状況に鑑み、解決しようとするところは、アームの端部に蛍光灯を内蔵した横長の灯具を角度変更可能に保持した照明装置において、スイッチの操作が極めて容易であり、両手が塞がっていても身体の一部を使って操作することが可能であり、しかもスイッチを操作した際に不意に灯具の角度が変わることがない照明装置を提供する点にある。
【課題を解決するための手段】
【０００７】
本発明は、前述の課題解決のために、アームの端部に蛍光灯を内蔵した横長の灯具を角度変更可能に保持した照明装置であって、前記灯具のシェードの上面部に、縦幅と横幅の少なくとも一方が３ｃｍ以上の操作板を有する大型のスイッチを設けた照明装置を構成した（請求項１）。
【０００８】
ここで、前記灯具を保持した前記アームの軸線を通る鉛直面と交差する位置に、前記スイッチの操作板の中心を配してなること（請求項２）、あるいは前記灯具の左右中央部を前記アームの端部で保持するとともに、前記シェードの上面部で左右中央部に前記スイッチの操作板を設けてなること（請求項３）が好ましい。
【０００９】
また、前記シェードの上面部の表面と、前記スイッチの操作板の表面とを略面一に設定してなることがより好ましい（請求項４）。
【００１０】
そして、前記灯具の前部に前方へ張り出したハンドル部を設け、該ハンドル部の指掛け開口に前記スイッチの操作板の前縁が臨んでいることも好ましい（請求項５）。
【００１１】
あるいは、前記灯具の前部に前方へ張り出したハンドル部を設け、該ハンドル部の指掛け開口と、前記スイッチの操作板の前縁との間に、前記シェードの上面部から延設した保護部を設けてなることも好ましい（請求項６）。
【発明の効果】
【００１２】
以上にしてなる請求項１に係る発明の照明装置は、アームの端部に蛍光灯を内蔵した横長の灯具を角度変更可能に保持した照明装置であって、前記灯具のシェードの上面部に、縦幅と横幅の少なくとも一方が３ｃｍ以上の操作板を有する大型のスイッチを設けたので、スイッチの操作が極めて容易であり、両手が塞がっていても身体の一部を使って操作することができる。つまり、操作板を押下することによって簡単に灯具の蛍光灯を点灯、消灯することができ、更に両手に書籍やビーカー等の実験器具を持って両手が塞がった状態でも、あるいは両手が不自由な人でも、身体の一部、例えば肘や顎でスイッチの操作板を簡単に操作することができる。
【００１３】
請求項２及び請求項３によれば、スイッチの操作板を押しても、その押圧力はアームの略軸線上に作用するので、アームと灯具の連結部に回転モーメントが生じても極僅かであるから、不意に灯具の角度が変わることがないのである。
【００１４】
請求項４によれば、スイッチの操作板とシェードの上面部が略面一であるので、外観性において一体感を有し、スイッチの操作板をシェードの上面部に設けても違和感のないものとすることができる。
【００１５】
請求項５によれば、操作板の前縁は、前記ハンドル部の指掛け開口に臨んでいるので、ハンドル部を持ったままの状態で、手の拳の部分でも操作板を操作してスイッチをＯＮ、ＯＦＦすることができる。
【００１６】
請求項６によれば、ハンドル部の指掛け開口と、スイッチの操作板の前縁との間に、シェードの上面部から延設した保護部を設けたので、ハンドル部を持った手の拳が前記操作板に直接触れるのを防止することができ、もって予期しないスイッチの操作を防止できるのである。
【発明を実施するための最良の形態】
【００１７】
次に、添付図面に示した実施形態に基づき、本発明を更に詳細に説明する。図１は、本発明に係る照明装置を学習机の机上棚に装着した実施形態を示し、図２〜図９はその詳細を示し、図中符号１は照明装置、２は学習机、３は机上棚、４は灯具、５はシェード、６はスイッチをそれぞれ示している。
【００１８】
本発明に係る照明装置１は、図１〜図４に示すように、学習机２の後部に載置した机上棚３に装着して組み合わせて使用するものであり、具体的には机上棚３の背板７の背面に支柱８を立起状態で保持するとともに、該支柱８の上端部に前向きにアーム９を上下角度調節可能に設け、該アーム９の前端部に蛍光灯を内蔵した横長の灯具４を上下左右角度変更可能且つ前後伸縮可能に保持した構造である。そして、前記灯具４のシェード５の中央部に広い面積のスイッチ６を設けている。
【００１９】
更に詳しくは、前記灯具４は、前記アーム９に連結する合成樹脂製の灯具本体１０と、該灯具本体１０の上部に被せて取付けるシェード５と、該シェード５の上面中央部に設けたスイッチ６と、前記灯具本体１０とシェード５とで形成される下方開放の空間内に取付ける蛍光灯１１と、前記灯具本体１０の下部に取付けるルーバー枠体１２とから概略構成されている。そして、前記灯具４の前部の左右中央部には、当該灯具４の角度を調節するために持って操作するハンドル部１３を設けている。
【００２０】
以下、具体的に本発明に係る照明装置１を説明する。前記灯具４を構成する灯具本体１０は、図５（ａ）に示すように、中央部に前記蛍光灯１１を収容できる開口部１４を有したフレーム構造であり、後部の左右中央部に間隔を置いて支持部１５，１５を後方へ突出した状態で一体形成するとともに、前部の左右中央部に前記ハンドル部１３の下半部を構成する平面視コ字形のハンドル基体部１６を一体成形し、更に図５（ｂ）に示すように、両端部には側面部１７，１７を一体形成している。一方、前記灯具本体１０の上部に被せて取付けるシェード５は、平面視形状が前記灯具本体１０と略同一であるが、灯具本体１０よりは若干大きく設定し、具体的には前記灯具本体１０の開口部１４を含め前記側面部１７，１７に覆い被る上面部１８を有し、後部の左右中央部に間隔を置いて支持部カバー１９，１９を後方へ突出するように一体形成するとともに、前部の左右中央部に前記ハンドル部１３の上半部を構成する平面視コ字形のハンドルカバー２０を一体形成したものである。
【００２１】
そして、図７〜図９に示すように、前記灯具本体１０の上部に前記シェード５を被せ下方からネジ２１，…にて連結する。この際に、前記灯具本体１０の支持部１５，１５と前記シェード５の支持部カバー１９，１９との間に、前記アーム９の前端部に設けた支軸２２の両端部を配して、回動可能に挟持している。そして、前記灯具本体１０のハンドル基体部１６に前記シェード５のハンドルカバー２０が重なって前記ハンドル部１３を構成するのである。ここで、前記蛍光灯１１は、図示しないが、前記灯具本体１０の内部両側部に取付けた端子に接続して両端部を保持している。
【００２２】
前記シェード５は、上面部１８が直線的なデザインを有し、即ち外形において全長にわたって略同一断面形状で、前縁から後縁にかけて緩やかに上方へ湾曲した流線型となっており、前縁部よりも後縁部の方が、曲率が大きくなった形状である。また、前記シェード５は、表面が光沢を有するように成形している。それには、ＡＢＳ樹脂等の硬度の高い合成樹脂材料を用い、金型の表面を平滑化するとともに、成形温度を高く設定することで実現している。尚、前記灯具本体１０は、シェード５と同じ材料で成形しても良いが、シェード５よりも若干軟質の汎用樹脂を用いて成形することが好ましい。また、前記シェード５と灯具本体１０の大きさ関係については、シェード５の上面部１８の前縁部１８Ａ及び両端部１８Ｂ，１８Ｂは灯具本体１０よりも突出し、上面部１８の後縁部１８Ｃは灯具本体１０の後面部２３の最後端から突出しないように設定されている。通常は、灯具４を若干前下がり姿勢で使用するので、その場合にはシェード５の上面部１８の後縁部１８Ｃよりも灯具本体１０の後面部２３の方が突出した状態である。従って、前記灯具４を動かした際に、前記後面部２３が机上棚３の側板２４や棚板２５に衝突しても、シェード５が直接接触しないので、該シェード５の後縁部１８Ｃによって机上棚３を傷付けることも、また前記シェード５の後縁部１８Ｃを損傷することも防止できるのである。また、前記シェード５を、耐薬品性を有する合成樹脂材料で成形することもあり、その場合には本発明の照明装置１を薬品を使用する研究室や実験室で使用するのに適したものとなる。
【００２３】
このように、前記シェード５が、灯具本体１０の上部を覆い、前縁部１８Ａ及び両端部１８Ｂ，１８Ｂが該灯具本体１０よりも突出し、しかも光沢を有しているので、上面部１８に付着した埃や汚れを拭き取りによって簡単に落とすことができる。また、前記灯具４の視覚部分の大半を占める前記シェード５の色を変更するだけで、該灯具４の全体イメージを変更することが可能である。ここで、前記シェード５は、もともと灯具本体１０とは前縁部１８Ａ及び両端部１８Ｂ，１８Ｂの外形において連続性がないので、該シェード５のみ色を変えても全体のイメージを損なうことがなく、しかも単一パーツであるシェード５のみ変更するだけで済むので、つまり従来のように複数のパーツの色を変更する必要がないので、コスト上昇を最小限に抑制しつつ意匠の多様性を実現できる。
【００２４】
また、前記スイッチ６は、図１、図３、図４、図６及び図６に示すように、前記シェード５の上面部１８の左右中央部に設けている。本実施形態において、前記スイッチ６の平面視形状は、前縁が狭く後縁が広い台形状であり、前記シェード５の上面部１８の後端寄り位置から前端に亘る広い面積を有している。前記スイッチ６の前縁部は、前記ハンドル部１３に設けた指掛け開口２６に臨み、該開口２６の横幅と略一致している。ここで、前記指掛け開口２６には、人差し指から小指まで４本の指を挿入できる横幅を有している。
【００２５】
本実施形態では、前記スイッチ６は、図７に示すように、前記シェード５の上面部１８の左右中央部に形成した切欠部２７に、該切欠部２７と平面視形状が略同一の台形状の操作板２８を配し、その後部を上下傾動可能に保持するとともに、該切欠部２７に対応する凹段部２９の前部にプッシュスイッチ３０を保持し、該プッシュスイッチ３０の押しボタン３１に前記操作板２８の前部下面に突設した突起３２を対応させ、前記操作板２８を押下することによってプッシュスイッチ３０をＯＮ、ＯＦＦする構造となっている。ここで、前記シェード５に切欠部２７を形成することによる強度低下を、該切欠部２７に対応する位置に凹段部２９を形成することによって補強するとともに、直下の蛍光灯１１からの光が切欠部２７と操作板２８の隙間から漏れるのを防止している。また、前記操作板２８は、表面外形を前記シェード５の上面部１８と略一致させ、装着状態で該上面部１８と略面一になるように設定している。
【００２６】
更に詳しくは、前記プッシュスイッチ３０は、図７に示すように、前記シェード５の凹段部２９の前部に形成した下方開放した保持凹部３３に下方から本体部を嵌合し、押しボタン３１を保持凹部３３の底面部の孔３４から上方へ露出させてセットし、該シェード５を灯具本体１０に接合した際に、該灯具本体１０の前部中央部に上向きに突設した突台３５でプッシュスイッチ３０の本体部を当止した状態で保持している。また、前記操作板２８の後部両側に軸ピン３６，３６を突設し、前記凹段部２９の内側面に形成した軸孔（図示せず）に上下傾動可能に嵌合するようになっている。
【００２７】
このように、前記シェード５の左右中央部に大型のスイッチ６の操作板２８を設けたので、該操作板２８を押下することによって簡単に灯具４の蛍光灯１１を点灯、消灯することができ、また前記操作板２８の前縁は、前記ハンドル部１３の指掛け開口２６に臨んでいるので、ハンドル部１３を持ったままの状態で、手の拳の部分でも操作板２８を操作してスイッチ６をＯＮ、ＯＦＦすることができる。更に、両手に書籍やビーカー等の実験器具を持って両手が塞がった状態でも、あるいは両手が不自由な人でも、身体の一部、例えば肘や顎でスイッチ６を簡単に操作することができる。それを実現できるようにするには、スイッチ６の操作板２８を、本実施形態のようにシェード５の上面部１８の前縁から後部にかけた縦幅とそれと同等の横幅を有する大きさにすれば良いが、最小限、操作板２８の縦幅と横幅の少なくとも一方が３ｃｍ以上の大型とすれば可能である。また、前記スイッチ６の操作板２８の形状は四角形でも、円形、楕円形でも良いが、円形の場合には直径が３ｃｍ以上、楕円形の場合には長軸が３ｃｍ以上とする。本実施形態において、「大型」とは、従来の照明装置では使用されないような大きなものを意味し、その基準は、前述のように操作板２８の縦幅と横幅の少なくとも一方が３ｃｍ以上であることである。好ましくは、前記操作板２８の縦幅と横幅の両方が３ｃｍ以上あること、更には５ｃｍ以上であることがより好ましい。
【００２８】
また、前記スイッチ６の操作板２８は、前記シェード５の左右中央部に設け、また前記灯具４の後部の左右中央部を前記アーム９で支持しているので、つまり前記操作板２８が前記支柱８の軸線と交差する位置にあるので、該灯具４の角度を傾けても操作板２８が芯振れを起さないので、該操作板２８を押下しても灯具４の角度が不意に変わることがないのである。
【００２９】
本実施形態では、前記スイッチ６の操作板２８の前縁を、前記ハンドル部１３の指掛け開口２６に臨ませたが、そうするとハンドル部１３を持って灯具４の角度を調節する際に、不意にスイッチ６を操作してしまう恐れもあるので、図１０に示すように、前記操作板２８の前方にシェード５の上面部１８の一部を残し、帯状の保護部３７を形成することも好ましい。つまり、前記ハンドル部１３の指掛け開口２６と、前記スイッチ６の操作板２８の前縁との間に、前記シェード５の上面部１８から延設した保護部３７を設け、ハンドル部１３を持った手の拳が前記操作板２８に直接触れるのを防止したものである。
【００３０】
また、前記スイッチ６の構造として、操作板２８を押下することによって、プッシュスイッチ３０をＯＮ、ＯＦＦする構造を例示したが、該プッシュスイッチ３０の代わりにリミットスイッチを用いても良く、更にはスイッチ６の構造としてタッチスイッチを用いても良い。尚、タッチスイッチとする場合には、機械的な可動部は不要であるので、操作板２８に相当する導電性のプレートを前記シェード５の中央部に形成した凹部に埋設するか、導電性のシートを前記シェード５の中央部に貼着することになる。極端な場合には、前記シェード５の上面部１８の全面をタッチスイッチ構造とすることも可能である。
【００３１】
そして、前記灯具本体１０の下部には、図３、図７〜図９に示すように、ルーバー枠体１２を着脱可能に取付けている。具体的には、前記ルーバー枠体１２は、周囲に枠部３８を有し、その内方の開口部内に前後方向に複数のルーバー３９，…を平行且つ前方斜め下方へ向けて設けるとともに、横方向に所定間隔で複数の縦リブ４０，…を設けたものであり、該縦リブ４０で前後のルーバー３９，…を互に連結し、格子状として強度を高めている。また、前記ルーバー枠体１２は、側面視において外形が下方へ湾曲して突出し、正面視において中央部から両側部に向けて上下寸法が漸減する形状である。そして、図７に示すように、前記ルーバー枠体１２の枠部３８の後端両側部に設けたヒンジ部４１，４１を前記灯具本体１０の開口部１４のから内部の適所に回動可能に嵌着するとともに、前方側の枠部３８の左右中央部に後方へ向けて突設した保持片４２を、前記灯具本体１０の開口部１４の前方側に位置する遮蔽部４３の左右中央部に後方へ向けて突設した固定片４４に止めネジ４５で締結している。この止めネジ４５を外すことによって、前記ルーバー枠体１２は、後部のヒンジ部４１の軸支部を中心に下方へ回動し、前記灯具本体１０の開口部１４を開放することができ、もって前記蛍光灯１１を交換することができる。
【００３２】
また、前記シェード５のハンドル部１３の両側には、前縁部１８Ａに沿って横長のスリット孔４６，４６を形成し、前記蛍光灯１１からの光の一部を漏れ出させ、装飾性を高めている。更に、色の付いた着色フィルター４７を前記スリット孔４６の内方に貼着することによって、更に光装飾性を高めることができる。
【００３３】
このように、前記机上棚３に装着した照明装置１は、灯具４に設けたスイッチ６を操作して点灯、消灯するが、体格が小さい児童が学習机２の所定位置に着座したままでも照明装置１を操作できるように、机上棚３の下部側板２４の内面側に手元スイッチ４８を設けている。この場合、前記スイッチ６よりも手元スイッチ４８の操作を優先させる回路構成とする。ここで、前記手元スイッチ４８は、複数のプラグ差込口を有するコンセントボックス４９の前端部に設けている。
【００３４】
本発明に係る照明装置１を学習机２の後部に設けた机上棚３に装着した実施形態を示したが、本発明はこれには限定されず、研究室の机や実験台に設置する照明装置にも適用できるのである。
【図面の簡単な説明】
【００３５】
【図１】学習机の後部に設けた机上棚に本発明の照明装置を装着した実施形態を示す全体斜視図である。
【図２】本発明の照明装置の側面図である。
【図３】同じく本発明の照明装置の正面図である。
【図４】同じく灯具の角度調節する動作を示す説明用平面図である。
【図５】灯具本体の一部省略した平面図である。
【図６】シェードの一部省略した底面図である。
【図７】灯具の中央部の縦断面図である。
【図８】灯具の側方寄り位置の縦断面図である。
【図９】灯具の部分拡大正面図である。
【図１０】照明装置の他の実施形態を示す平面図である。
【符号の説明】
【００３６】
１  照明装置            ２  学習机
３  机上棚              ４  灯具
５  シェード            ６  スイッチ
７  背板                ８  支柱
９  アーム              １０  灯具本体
１１  蛍光灯            １２  ルーバー枠体
１３  ハンドル部        １４  開口部
１５  支持部            １６  ハンドル基体部
１７  側面部            １８  上面部
１８Ａ  前縁部          １８Ｂ  端部
１８Ｃ  後縁部          １９  支持部カバー
２０  ハンドルカバー    ２１  ネジ
２２  支軸              ２３  後面部
２４  側板              ２５  棚板
２６  指掛け開口        ２７  切欠部
２８  操作板            ２９  凹段部
３０  プッシュスイッチ  ３１  押しボタン
３２  突起              ３３  保持凹部
３４  孔                ３５  突台
３６  軸ピン            ３７  保護部
３８  枠部              ３９  ルーバー
４０  縦リブ            ４１  ヒンジ部
４２  保持片            ４３  遮蔽部
４４  固定片            ４５  止めネジ
４６  スリット孔        ４７  着色フィルター
４８  手元スイッチ      ４９  コンセントボックス
【図１】
2006318683.tif 000003
【図２】
2006318683.tif 000004
【図３】
2006318683.tif 000005
【図４】
2006318683.tif 000006
【図５】
2006318683.tif 000007
【図６】
2006318683.tif 000008
【図７】
2006318683.tif 000009
【図８】
2006318683.tif 000010
【図９】
2006318683.tif 000011
【図１０】
2006318683.tif 000012